(57)【要約】【課題】使用者が不快に感じることなく、局部の洗浄の効果を確認することができる温水洗浄便座装置を提供すること。【解決手段】温水洗浄便座装置１は、局部を含む被洗浄領域を撮像する撮像装置１３と、撮像装置１３によって撮像された画像を取得する取得部１４ａと、取得部１４ａによって取得された画像に基づいて、被洗浄領域に付着した付着物を識別する識別部１４ｃと、被洗浄領域の面積に対して、識別部１４ｃによって識別された付着物の面積の割合である付着物割合を算出する第一算出部１４ｄと、第一算出部１４ｄによって算出された付着物割合を、付着物とは異なる図形であって付着物を間接的に表現する図形である間接図形Ｆ１を用いて表す間接画像Ｐを生成する生成部１４ｅと、生成部１４ｅによって生成された間接画像Ｐを、表示部３ａに出力する出力部１４ｆと、を備えている。【選択図】  図３
2019108741.tif 000002
【特許請求の範囲】
【請求項１】
ノズルから噴出された洗浄水によって、人体の局部を含む被洗浄領域を洗浄する温水洗浄便座装置であって、
前記被洗浄領域を撮像する撮像装置と、
前記撮像装置によって撮像された画像を取得する取得部と、
前記取得部によって取得された画像に基づいて、前記被洗浄領域に付着した付着物を識別する識別部と、
前記被洗浄領域の面積に対して、前記識別部によって識別された前記付着物の面積の割合である付着物割合を算出する第一算出部と、
前記第一算出部によって算出された前記付着物割合を、前記付着物とは異なる図形であって前記付着物を間接的に表現する図形である間接図形を用いて表す間接画像を生成する生成部と、
前記生成部によって生成された前記間接画像を、表示部に出力する出力部と、を備えている温水洗浄便座装置。
【請求項２】
前記撮像装置は、前記被洗浄領域の洗浄の開始時点から、前記被洗浄領域の洗浄の終了時点まで時系列に撮像する請求項１に記載の温水洗浄便座装置。
【請求項３】
前記洗浄水は、前記ノズルから間欠的に噴出され、
前記撮像装置は、前記ノズルから前記洗浄水が噴出されていない間のみ、前記被洗浄領域を撮像する請求項２に記載の温水洗浄便座装置。
【請求項４】
前記開始時点から前記終了時点までの洗浄時間を計測する計測部と、
前記計測部によって計測された前記洗浄時間と前記洗浄水の単位時間あたりの流量とから前記被洗浄領域の洗浄に使用された前記洗浄水の量を算出する第二算出部と、
前記被洗浄領域の洗浄によって減少した前記付着物割合に対する前記第二算出部によって算出された前記洗浄水の量を点数化して、省エネルギの寄与度として導出する省エネ寄与度導出部と、をさらに備え、
前記出力部は、前記省エネ寄与度導出部によって導出された前記省エネルギの寄与度を前記表示部に表示する請求項２または請求項３に記載の温水洗浄便座装置。
【請求項５】
前記表示部は、使用者が所有する携帯端末装置に設けられている請求項１乃至請求項４の何れか一項に記載の温水洗浄便座装置。
【発明の詳細な説明】
【技術分野】
【０００１】
本発明は、温水洗浄便座装置に関する。
【背景技術】
【０００２】
便器の一形式として、特許文献１に示されているものが知られている。特許文献１の図１に示されているように、便器は、ボウル内に繰り出し可能な照明および鏡を備え、使用者が鏡に映った局部を目視可能とすることを特徴としている。これにより、使用者は、局部の状態や、便器が温水洗浄便座を備える場合においては局部における洗浄の状態および洗浄の効果を、直接確認することができる。
【先行技術文献】
【特許文献】
【０００３】
【特許文献１】特開２０００−８０６９９号公報
【発明の概要】
【発明が解決しようとする課題】
【０００４】
しかしながら、上述したように、使用者が局部を直接観察する場合、使用者が不快に感じることが考えられる。
【０００５】
本発明は、上述した問題を解消するためになされたもので、使用者が不快に感じることなく、局部の洗浄の効果を確認することができる温水洗浄便座装置を提供することを目的とする。
【課題を解決するための手段】
【０００６】
上記の課題を解決するため、請求項１に係る温水洗浄便座装置は、ノズルから噴出された洗浄水によって、人体の局部を含む被洗浄領域を洗浄する温水洗浄便座装置であって、被洗浄領域を撮像する撮像装置と、撮像装置によって撮像された画像を取得する取得部と、取得部によって取得された画像に基づいて、被洗浄領域に付着した付着物を識別する識別部と、被洗浄領域の面積に対して、識別部によって識別された付着物の面積の割合である付着物割合を算出する第一算出部と、第一算出部によって算出された付着物割合を、付着物とは異なる図形であって付着物を間接的に表現する図形である間接図形を用いて表す間接画像を生成する生成部と、生成部によって生成された間接画像を、表示部に出力する出力部と、を備えている。
【発明の効果】
【０００７】
これによれば、局部を含む被洗浄領域の面積に対する、被洗浄領域に付着した付着物の面積の割合である付着物割合が、付着物を間接的に表現する間接図形を用いて表された間接画像として表示部に表示される。よって、使用者は、例えば被洗浄領域の洗浄後において、被洗浄領域の面積に対する付着物の面積を、局部および付着物を直接観察することなく確認できる。したがって、使用者が不快に感じることなく、局部の洗浄の効果を確認することができる。
【図面の簡単な説明】
【０００８】
【図１】本発明の第一実施形態に係る温水洗浄便座装置の構成を示す構成図である。
【図２】図１に示す温水洗浄便座装置のブロック図である。
【図３】図１に示す制御装置が実行するフローチャートである。
【図４Ａ】図１に示す表示部に表示された間接画像を示す図である。
【図４Ｂ】図３に示すフローチャートが実行された場合において、表示部に表示された間接画像を示す図である。
【図５】本発明の第二実施形態に係る温水洗浄便座装置のブロック図である。
【図６】図５に示す制御装置が実行するフローチャートである。
【図７Ａ】図１または図５に示す表示部に表示された間接画像の変形例を示す図である。
【図７Ｂ】図３または図６に示すフローチャートが実行された場合において、表示部に表示された間接画像の変形例を示す図である。
【図８】図１に示す表示部に表示された間接画像および洗浄画像を示す図である。
【発明を実施するための形態】
【０００９】
＜第一実施形態＞
以下、本発明による温水洗浄便座装置の第一実施形態について説明する。温水洗浄便座装置１は、ノズル１１ｂ（後述する）から噴出された洗浄水によって、人体の局部（例えば肛門）を含む被洗浄領域（後述する）を洗浄するものである。温水洗浄便座装置１は、例えば家屋のトイレルームＷＣに設置されている。温水洗浄便座装置１は、本体部１０、便座２０および便蓋３０を備えている。
【００１０】
本体部１０は、トイレルームＷＣに設置された腰掛式便器２に取り付けられている。本体部１０は、便座２０および便蓋３０を回動可能に支持している。便座２０は、使用者Ｍが例えば排便や局部の洗浄を行う場合に着座するものである。便蓋３０は便座２０を覆うものである。本体部１０には、ノズル装置１１、乾燥装置（図示なし）、着座センサ１２、撮像装置１３および制御装置１４が収容されている。
【００１１】
ノズル装置１１は、水源（例えば水道配管）から洗浄水が供給されて、人体の局部に向けて洗浄水を噴出するものである。ノズル装置１１は、洗浄水の流量を調整する流量調整弁１１ａおよび洗浄水を噴出するノズル１１ｂを備えている。ノズル１１ｂは、本体部１０に収容された収納位置と、先端部が本体部１０の外部に位置して局部に向けて洗浄水を噴出する洗浄位置（図１に示す位置）との間を、制御装置１４の制御指令によって駆動するモータ（図示なし）によって移動可能に設けられている。乾燥装置は、人体の局部に付着した洗浄水を乾燥させるものである。
【００１２】
着座センサ１２は、使用者Ｍが便座２０に着座しているか否かを検出するものである。着座センサ１２は、例えば赤外線を発射するとともに、反射した赤外線を検出する。使用者Ｍが便座２０に着座している場合、着座センサ１２が赤外線を発射した時点から、使用者Ｍに当って反射した赤外線を検出する時点までの検出時間が所定時間以下となる。この場合、着座センサ１２がオン信号を制御装置１４に出力する。検出時間が所定時間より長い場合、着座センサ１２がオフ信号を制御装置１４に出力する。この場合、使用者Ｍが便座２０に着座していない。所定時間は、予め実験等により実測されて導出されている。
【００１３】
撮像装置１３は、被洗浄領域を撮像するものである。撮像装置１３（例えばカメラ）は、撮像した被洗浄領域を制御装置１４に出力する。被洗浄領域は、人体の局部を含む領域である。被洗浄領域は、局部から人体の表面に沿って所定距離以内の領域に設定されている。所定距離は、使用者Ｍが排便した場合に、局部の周辺に例えば便等の付着物が付着する範囲に基づいて設定されている。
【００１４】
撮像装置１３は、ノズル１１ｂが収納位置に位置する場合に本体部１０に収納され、ノズル１１ｂが洗浄位置に位置する場合に本体部１０の外部に位置し、被洗浄領域を撮像可能となるように、ノズル１１ｂに固定されている。また、撮像装置１３は、被洗浄領域の洗浄の開始時点から、被洗浄領域の洗浄の終了時点まで時系列に撮像する（詳細は後述する）。
【００１５】
制御装置１４は、温水洗浄便座装置１を統括制御するものである。制御装置１４は、図２に示すように、取得部１４ａ、洗浄制御部１４ｂ、識別部１４ｃ、第一算出部１４ｄ、生成部１４ｅおよび出力部１４ｆを備えている。
【００１６】
取得部１４ａは、撮像装置１３によって撮像された画像を取得するものである。また、取得部１４ａは、着座センサ１２および使用者Ｍによって操作されるスイッチ類から出力された信号を取得する。スイッチ類は、洗浄を開始する洗浄スイッチ１５および洗浄を停止する止スイッチ１６を備えている。
【００１７】
洗浄制御部１４ｂは、洗浄水の流量を調整するものである。洗浄制御部１４ｂは、洗浄スイッチ１５がオンされて、撮像装置１３によって被洗浄領域の画像が取得された後に、ノズル１１ｂから洗浄水を噴出するように、流量調整弁１１ａを制御する（詳細は後述する）。洗浄制御部１４ｂは、洗浄が行われている間、洗浄水をノズル１１ｂから連続して噴出するように、流量調整弁１１ａを制御する。
【００１８】
また、洗浄制御部１４ｂは、ノズル装置１１による局部の洗浄が行われる場合、使用者Ｍによって設定された洗浄強さに応じた流量にて洗浄水がノズル１１ｂから噴出されるように、流量調整弁１１ａを制御する。制御装置１４は、洗浄強さと洗浄水の単位時間あたりの流量との関係を示すマップ（図示なし）を用いて、使用者Ｍによって設定された洗浄強さから洗浄水の単位時間あたりの流量を設定する。マップは、記憶部（図示なし）に記憶されている。
【００１９】
識別部１４ｃは、取得部１４ａによって取得された画像に基づいて、被洗浄領域に付着した付着物を識別するものである。識別部１４ｃは、付着物と人体の表面との色差に基づいて輪郭抽出等の画像処理を行うことにより、付着物を識別する。
【００２０】
第一算出部１４ｄは、被洗浄領域の面積に対して、識別部１４ｃによって識別された付着物の面積の割合である付着物割合を算出するものである。被洗浄領域の面積は、予め実験等により実測されて導出され、記憶部に記憶されている。付着物の面積は、識別部１４ｃによって識別された付着物の大きさや範囲に基づいて算出される。付着物割合は、付着物の面積を被洗浄領域の面積を用いて除算することにより算出される。
【００２１】
生成部１４ｅは、第一算出部１４ｄによって算出された付着物割合を、付着物とは異なる図形であって付着物を間接的に表現する図形である間接図形Ｆ１を用いて表す間接画像Ｐを生成するものである。間接図形Ｆ１は、図４Ａおよび図４Ｂに示すように付着物を直接的に想起させない図形である。間接画像Ｐは、この間接図形Ｆ１の数を増減させることにより、付着物割合を間接的に表す画像である。例えば、間接図形Ｆ１の一つが１０％の付着物割合を示すように設定されている場合、図４Ａに示す間接画像Ｐは、付着物割合が８０％であることを示す間接画像Ｐである。
【００２２】
出力部１４ｆは、生成部１４ｅによって生成された間接画像Ｐを、表示部３ａに出力するものである。表示部３ａは、図１に示すように、使用者Ｍが所有する携帯端末装置３に設けられている。携帯端末装置３は、具体的には、使用者Ｍが所有し、かつ、使用者Ｍによって認証された携帯電話（例えばスマートフォン）やタブレット端末等である。出力部１４ｆは、携帯端末装置３と有線または無線により間接画像Ｐ等のデータを送受信可能に設けられている。
【００２３】
次に、制御装置１４が実行するフローチャートについて図３を用いて説明する。制御装置１４は、ステップＳ１０２にて洗浄スイッチ１５がオンされたか否かを判定する。例えば使用者Ｍが排便前であり、使用者Ｍが洗浄を行わない場合、洗浄スイッチ１５がオンされていない。この場合、制御装置１４は、ステップＳ１０２にて「ＮＯ」と判定し、ステップＳ１０２を繰り返し実行する。
【００２４】
そして、使用者Ｍが排便した後に洗浄を行うとき、使用者Ｍが洗浄スイッチ１５をオンする。このとき、制御装置１４は、ステップＳ１０２にて「ＹＥＳ」と判定し、プログラムをステップＳ１０４に進める。
【００２５】
制御装置１４は、ステップＳ１０４にて撮像装置１３によって被洗浄領域を撮像し、ステップＳ１０６にて付着物を識別する（取得部１４ａ，識別部１４ｃ）。制御装置１４は、ステップＳ１０８にて付着物割合を算出し（第一算出部１４ｄ）、ステップＳ１１０にて間接画像Ｐを生成する（生成部１４ｅ）。
【００２６】
続けて、制御装置１４は、ステップＳ１１２にて間接画像Ｐを表示し（出力部１４ｆ）、ステップＳ１１４にて止スイッチ１６がオンされたか否かを判定する。使用者Ｍが洗浄を継続しており、使用者Ｍが止スイッチ１６をオンしていない場合、制御装置１４は、ステップＳ１１４にて「ＮＯ」と判定し、プログラムをステップＳ１０４に戻す。すなわち、被洗浄領域の洗浄が行われている間、制御装置１４は、ステップＳ１０４〜Ｓ１１４を繰り返し実行する。
【００２７】
一方、使用者Ｍが洗浄を停止するために止スイッチ１６をオンした場合、制御装置１４は、ステップＳ１１４にて「ＹＥＳ」と判定し、プログラムをステップＳ１０２に戻す。このように、制御装置１４は、被洗浄領域の洗浄の開始時点から終了時点まで時系列に撮像装置１３による撮像を行う。
【００２８】
次に、上述したフローチャートが実行された場合の温水洗浄便座装置１の動作について説明する。使用者Ｍが便座２０に着座して排便が行われて、洗浄スイッチ１５がオンされたとき、ノズル１１ｂが収納位置から洗浄位置に移動する。
【００２９】
そして、被洗浄領域が撮像装置１３によって撮像され（ステップＳ１０４）、ノズル１１ｂから洗浄水が噴出される。被洗浄領域に付着物が付着しており、付着物の面積の被洗浄領域の面積に占める割合が８０％である場合、付着物割合が８０％であると算出される（ステップＳ１０６，１０８）。
【００３０】
上述したように、間接図形Ｆ１の一つが１０％の付着物割合を示すように設定されている場合、図４Ａに示すように、８つの間接図形Ｆ１を用いた間接画像Ｐが生成されて（ステップＳ１１０）、この間接画像Ｐが表示部３ａに表示される（ステップＳ１１２；図４Ａ参照）。
【００３１】
止スイッチ１６がオンされずに被洗浄領域の洗浄が継続している場合、撮像装置１３により被洗浄領域が再度撮像される（ステップＳ１０４）。洗浄によって被洗浄領域から付着物が除去されて、付着物の面積の被洗浄領域の面積に占める割合が４０％となっていた場合、付着物割合が４０％であると算出される（ステップＳ１０６，１０８）。
【００３２】
この場合、４つの間接図形Ｆ１を用いた間接画像Ｐが生成されて（ステップＳ１１０）、この間接画像Ｐが表示部３ａに表示される（ステップＳ１１２；図４Ｂ参照）。なお、図４Ｂに示す破線は、洗浄により付着物が減少したために間接図形Ｆ１が消えたことを示している。さらに洗浄がさらに継続された後、被洗浄領域から付着物がなくなった場合、表示部３ａに間接図形Ｆ１が表示されなくなる。そして、使用者Ｍが止スイッチ１６をオンした場合、洗浄水の噴出が停止され、ノズル１１ｂが洗浄位置から収納位置に移動する。
【００３３】
本第一実施形態によれば、温水洗浄便座装置１は、ノズル１１ｂから噴出された洗浄水によって、人体の局部を含む被洗浄領域を洗浄する。温水洗浄便座装置１は、被洗浄領域を撮像する撮像装置１３と、撮像装置１３によって撮像された画像を取得する取得部１４ａと、取得部１４ａによって取得された画像に基づいて、被洗浄領域に付着した付着物を識別する識別部１４ｃと、被洗浄領域の面積に対して、識別部１４ｃによって識別された付着物の面積の割合である付着物割合を算出する第一算出部１４ｄと、第一算出部１４ｄによって算出された付着物割合を、付着物とは異なる図形であって付着物を間接的に表現する図形である間接図形Ｆ１を用いて表す間接画像Ｐを生成する生成部１４ｅと、生成部１４ｅによって生成された間接画像Ｐを、表示部３ａに出力する出力部１４ｆと、を備えている。
【００３４】
これによれば、局部を含む被洗浄領域の面積に対する、被洗浄領域に付着した付着物の面積の割合である付着物割合が、付着物を間接的に表現する間接図形Ｆ１を用いて表された間接画像Ｐとして表示部３ａに表示される。よって、使用者Ｍは、例えば被洗浄領域の洗浄後において、被洗浄領域の面積に対する付着物の面積を、局部および付着物を直接観察することなく確認できる。したがって、使用者Ｍが不快に感じることなく、局部の洗浄の効果を確認することができる。
【００３５】
また、撮像装置１３は、被洗浄領域の洗浄の開始時点から、被洗浄領域の洗浄の終了時点まで時系列に撮像する。
【００３６】
これによれば、使用者Ｍは、被洗浄領域の洗浄中において、被洗浄領域の面積に対する付着物の面積を、局部および付着物を直接観察することなく確認できる。したがって、被洗浄領域の洗浄中においても、使用者Ｍが不快に感じることなく、局部の洗浄の効果を確認することができる。
【００３７】
また、表示部３ａは、使用者Ｍが所有する携帯端末装置３に設けられている。
これによれば、使用者Ｍが所有する携帯端末装置３に、付着物割合が表示される。よって、温水洗浄便座装置１が表示部３ａを備えないようにすることができるため、温水洗浄便座装置１の低コスト化を図ることができる。
【００３８】
＜第二実施形態＞
次に、本発明による温水洗浄便座装置１の第二実施形態について、主として上述した第一実施形態と異なる部分について説明する。本第二実施形態において、制御装置１４は、上述した第一実施形態と比べて、図５に示すように、計測部１１４ｇ、第二算出部１１４ｈおよび省エネ寄与度導出部１１４ｉをさらに備えている。
【００３９】
計測部１１４ｇは、被洗浄領域の洗浄の開始時点から終了時点までの洗浄時間を計測するものである。計測部１１４ｇは、具体的には、洗浄スイッチ１５がオンされた時点から止スイッチ１６がオンされた時点までの時間を計測して洗浄時間として導出する。
【００４０】
第二算出部１１４ｈは、計測部１１４ｇによって計測された洗浄時間と洗浄水の単位時間あたりの流量とから被洗浄領域の洗浄に使用された洗浄水の量を算出するものである。洗浄水の単位時間あたりの流量は、上述したマップを用いて使用者Ｍによって設定された洗浄強さから導出される。第二算出部１１４ｈは、洗浄時間と洗浄水の単位時間あたりの流量を乗算することにより、洗浄に使用された洗浄水の量を算出する。
【００４１】
省エネ寄与度導出部１１４ｉは、被洗浄領域の洗浄によって減少した付着物割合に対する第二算出部１１４ｈによって算出された洗浄水の量を点数化して、省エネルギの寄与度として導出するものである。
【００４２】
被洗浄領域の洗浄によって減少した付着物割合は、洗浄の開始時点の第一算出部１４ｄによって算出された付着物割合と、洗浄の終了時点の第一算出部１４ｄによって算出された付着物割合との差である。省エネルギの寄与度は、例えば、被洗浄領域の洗浄によって減少した付着物割合を、被洗浄領域の洗浄に使用された洗浄水の量にて除算することにより算出される。すなわち、付着物割合に対して洗浄水の量が少ない程、省エネルギの寄与度が高く、点数が高い。省エネ寄与度導出部１１４ｉによって導出された省エネルギの寄与度は、出力部１４ｆによって表示部３ａに表示される。
【００４３】
次に、本第二実施形態の制御装置１４が実行するフローチャートについて図６を用いて説明する。制御装置１４は、上述した第一実施形態と同様に、洗浄スイッチ１５がオンされたか否かを判定する（ステップＳ２０２）。使用者Ｍによって洗浄スイッチ１５がオンされた場合、制御装置１４は、ステップＳ２０４にて洗浄時間の計測を開始する（計測部１１４ｇ）。
【００４４】
続けて、制御装置１４は、ステップＳ２０６にて被洗浄領域を撮像し、ステップＳ２０８にて洗浄強さを取得する（取得部１４ａ）。さらに、制御装置１４は、上述した第一実施形態のステップＳ１０６〜Ｓ１１２と同様に、ステップＳ２１０〜Ｓ２１６にて付着物を識別して間接画像Ｐを表示する。そして、制御装置１４は、ステップＳ２０６〜ステップＳ２１８を止スイッチ１６がオンされるまで繰り返し実行する。
【００４５】
このときに、止スイッチ１６がオンされた場合、制御装置１４は、ステップＳ２１８にて「ＹＥＳ」と判定し、ステップＳ２２０にて洗浄時間の計測を終了して（計測部１１４ｇ）、ステップＳ２２２にて被洗浄領域の洗浄に使用された洗浄水の量を算出する（第二算出部１１４ｈ）。続けて、制御装置１４は、ステップＳ２２４にて省エネルギの寄与度を導出し（省エネ寄与度導出部１１４ｉ）、ステップＳ２２６にて、省エネルギの寄与度を表示部３ａに表示する（出力部１４ｆ）。
【００４６】
本第二実施形態によれば、温水洗浄便座装置１は、洗浄の開始時点から終了時点までの洗浄時間を計測する計測部１１４ｇと、計測部１１４ｇによって計測された洗浄時間と洗浄水の単位時間あたりの流量とから被洗浄領域の洗浄に使用された洗浄水の量を算出する第二算出部１１４ｈと、被洗浄領域の洗浄によって減少した付着物割合に対する第二算出部１１４ｈによって算出された洗浄水の量を点数化して、省エネルギの寄与度として導出する省エネ寄与度導出部１１４ｉと、をさらに備えている。出力部１４ｆは、省エネ寄与度導出部１１４ｉによって導出された省エネルギの寄与度を表示部３ａに表示する。
【００４７】
これによれば、付着物割合に対する洗浄水の量が点数化されて省エネルギの寄与度として導出されるため、使用者Ｍが、洗浄に対するモチベーションを高めることができる。
【００４８】
＜変形例＞
なお、上述した実施形態において、温水洗浄便座装置の一例を示したが、本発明はこれに限定されず、他の構成を採用することもできる。例えば、間接画像Ｐは、間接図形Ｆ１の数によって付着物割合を表しているが、これに代えて、間接図形Ｆ１の大きさを可変させることにより付着物割合を表すようにしても良い。また、温水洗浄便座装置１が複数の間接図形Ｆ１を備え、使用者Ｍが間接画像Ｐを選択するようにしても良い。
【００４９】
また、上述した実施形態において、表示部３ａは、使用者Ｍが所有する携帯端末装置３であるが、これに代えて、トイレルームＷＣに設置されて有線または無線により画像を送受信可能とする外部モニタとしても良い。また、表示部３ａを温水洗浄便座装置１に配置されたモニタ（ディスプレイ）としても良い。
【００５０】
また、上述した実施形態において、間接画像Ｐは、図４Ａおよび図４Ｂに示す間接図形Ｆ１を用いているが、これに代えて、間接図形Ｆ１１として、図７Ａおよび図７Ｂに示すようにインジケータを用いるようにしても良い。
【００５１】
また、上述した実施形態において、表示部３ａには、付着物を間接的に表す間接図形Ｆ１を用いた間接画像Ｐが表示されているが、これに加えて、図８に示すように、洗浄水の状態を間接的に表す洗浄図形Ｆ２を表示するようにしても良い。この場合、洗浄図形Ｆ２が洗浄強さに応じて変化するようにしても良い。また、洗浄水が被洗浄領域に当たる音を模倣した効果音が表示部３ａから出力されるようにしても良い。さらに、この効果音がこの洗浄図形Ｆ２の大きさに応じて変化するようにしても良い。
【００５２】
また、上述した実施形態において、識別部１４ｃは、付着物に対して輪郭抽出等の画像処理を行うことにより付着物を識別しているが、これに代えて、付着物が付着する前後の画像を比較することにより、付着物を認識するようにしても良い。この場合、使用者Ｍが排便する前（例えば使用者Ｍが着座した時）に、撮像装置１３が被洗浄領域を撮像するようにしても良い。
【００５３】
また、上述した実施形態において、温水洗浄便座装置１が、被洗浄領域を照らす照明（例えばＬＥＤ）をさらに備えるようにしても良い。この照明をノズル１１ｂに配置して被洗浄領域を直接照らすようにしても良い。また、この照明を本体部１０に収容して腰掛式便器２の便鉢を照らすことにより、被洗浄領域を間接的に照らすようにしても良い。
【００５４】
また、上述した実施形態において、撮像装置１３は、洗浄水を噴出するノズル１１ｂに配置されているが、これに代えて、撮像装置１３を伸縮可能な棒部材（図示なし）に配置するようにしても良い。これによれば、ノズル１１ｂの移動とは独立して撮像装置１３を、本体の内部と外部との間を移動させることができる。また、撮像装置１３を、腰掛式便器２に配置するようにしても良い。
【００５５】
また、上述した実施形態において、洗浄スイッチ１５がオンされてから止スイッチ１６がオンされるまでの間に撮像装置１３による被洗浄領域の撮像が行われているが、これに代えて、着座センサ１２がオン信号を出力してから止スイッチ１６がオンされるまでの間、または着座センサ１２がオフ信号を出力するまでの間に、撮像装置１３による被洗浄領域の撮像が行われるようにしても良い。
【００５６】
また、上述した実施形態において、省エネルギの寄与度が表示部３ａに表示されるが、これに加えて、制御装置１４とインターネットや専用回線とを接続して、省エネルギの寄与度を外部（サーバ）のデータベースに出力するようにしても良い。これによれば、他の使用者Ｍの省エネルギの寄与度と比較して順位付け等を行うことにより、省エネルギの寄与度を競わせることができるため、洗浄に対する楽しさや、洗浄に対するモチベーションをさらに高めることができる。この場合、表示部３ａが、順位付けの結果をさらに表示するようにしても良い。
【００５７】
また、上述した実施形態において、被洗浄領域の洗浄が行われている間、洗浄水はノズル１１ｂから連続して噴出されているが、これに代えて、洗浄水がノズル１１ｂから間欠的に噴出されるようにしても良い。さらにこの場合、撮像装置１３が、ノズル１１ｂから洗浄水が噴出されていない間のみ、被洗浄領域を撮像するようにしても良い。
【００５８】
この場合、洗浄制御部１４ｂは、ノズル装置１１による被洗浄領域の洗浄が行われる場合、洗浄水がノズル１１ｂから間欠的に噴出されるように、流量調整弁１１ａを制御する。洗浄制御部１４ｂは、具体的には、洗浄水の流路を周期的に開閉する。これによれば、洗浄水が噴出されていない状態において、付着物が識別されるため、付着物割合を精度よく算出することができる。
【００５９】
また、上述した各実施形態において、使用者Ｍによって止スイッチ１６がオンされることによりノズル装置１１による局部の洗浄が停止されるが、これに代えて、被洗浄領域の洗浄が行われている場合において、付着物割合が所定値以下となったときに被洗浄領域の洗浄が自動で停止されるようにしても良い。所定値は、例えば被洗浄領域における付着物が除去されたと使用者Ｍが判断できる付着物割合の値であり、予め実験等によって実測されて導出される。
【００６０】
また、本発明の要旨を逸脱しない範囲において、間接図形Ｆ１，Ｆ１１および洗浄図形Ｆ２の形体、間接画像Ｐに表される間接図形Ｆ１，Ｆ１１および洗浄図形Ｆ２の位置、大きさおよび範囲、被洗浄領域の撮像タイミング、洗浄水の噴出タイミング、並びに、省エネルギの寄与度の導出方法を変更するようにしても良い。
【符号の説明】
【００６１】
１…温水洗浄便座装置、３…携帯端末装置、３ａ…表示部、１０…本体部、１１ｂ…ノズル、１２…着座センサ、１３…撮像装置、１４…制御装置、１４ａ…取得部、１４ｂ…洗浄制御部、１４ｃ…識別部、１４ｄ…第一算出部、１４ｅ…生成部、１４ｆ…出力部、１１４ｇ…計測部、１１４ｈ…第二算出部、１１４ｉ…省エネ寄与度導出部、Ｆ１…間接図形、Ｆ２…洗浄図形、Ｍ…使用者、Ｐ…間接画像、ＷＣ…トイレルーム。
【図１】
2019108741.tif 000003
【図２】
2019108741.tif 000004
【図３】
2019108741.tif 000005
【図４Ａ】
2019108741.tif 000006
【図４Ｂ】
2019108741.tif 000007
【図５】
2019108741.tif 000008
【図６】
2019108741.tif 000009
【図７Ａ】
2019108741.tif 000010
【図７Ｂ】
2019108741.tif 000011
【図８】
2019108741.tif 000012